(57)【要約】【課題】      陳列時のブックの一部の立ち読みを許容する。【解決手段】  底板１と、この底板の一側縁から連なって上方に突出する起立板２と、上記底板の他側にヒンジ３を介し起状自在に設けた起状板４と、上記起立板及び起状板の上縁に平行した対向間隔維持のために施錠し、かつショップ側で解錠することができるように設けた錠装置Ｂと、この錠装置、上記起立板、起伏板のいずれかにブックの背表紙の表面に対向するように設けたストッパと、上記起立板に上記ストッパの反対方向に突出させて設けた差し込み片６とでブックの抱き込み体Ａを形成し、又ブックカバーＣの両端裏側の保持部Ｃ’にブックの表裏表紙の各自由端部を挿入すると共に、上記ブックカバーの片端部表面や片端部の裏側上記保持部の少なくとも片方に上記差し込み片の貫通用の挿入部Ｅを設けた構成を採用する。【選択図】図１
2009179398.tif 000002
【特許請求の範囲】
【請求項１】
底板と、この底板の一側縁から連なって上方に突出する起立板と、上記底板の他側にヒンジを介し起状自在に設けた起状板と、上記起立板及び起状板の上縁に平行した対向間隔維持のために施錠し、かつショップ側で解錠することができるように設けた錠装置と、この錠装置、上記起立板、起伏板のいずれかにブックの背表紙の表面に対向するように設けたストッパと、上記起立板に上記ストッパの反対方向に突出させて設けた差し込み片とでブックの抱き込み体を形成し、又ブックカバーの両端裏側の保持部にブックの表裏表紙の各自由端部を挿入すると共に、上記ブックカバーの片端部表面や片端部の裏側上記保持部の少なくとも片方に上記差し込み片の貫通用の挿入部を設けたことを特徴とするブックの立ち読み防止装置。
【請求項２】
上記の挿入部を有する保持部が、ブックカバーの延長をブックカバーの裏側に折り返す折り返し片によって形成すると共に、この折り返し片の突出端縁の裏面に起立板に止める接着膜を設けたことを特徴とする請求項１に記載のブックの立ち読み防止装置。
【請求項３】
上記の抱き込み体にブックの綴じ込み紙の背表紙の反対側面に対向するストッパ部を設けたことを特徴とする請求項１に記載のブックの立ち読み防止装置。
【請求項４】
底板と、この底板の一側縁から連なって上方に突出する起立板と、上記底板の他側にヒンジを介し起状自在に設けた起状板と、上記起立板及び起状板の上縁に平行した対向間隔維持のために施錠し、かつショップ側で解錠することができるように設けた錠装置と、この錠装置、上記起立板、起伏板のいずれかにブックの背表紙の表面に対向するように設けたストッパと、上記起立板に上記ストッパの反対方向に突出させて設けた差し込み片とでブックの抱き込み体を形成し、又ブックカバーの両端裏側の保持部にブックの表裏表紙の各自由端部を挿入すると共に、上記ブックカバーの片端部表面や片端部の裏側上記保持部の少なくとも片方に上記差し込み片の貫通用の挿入部を設けて、上記抱き込み体にブックをセットした状態で上面に挿入口を有する展示ケースに上記挿入口から挿入したことを特徴とする展示装置。
【発明の詳細な説明】
【技術分野】
【０００１】  この発明は、ショップの棚などに陳列してあるマンガなどのブックの立ち読みを防止すると共に、目次などの綴じ込み紙の一部を捲って読むことができることで或る程度納得できた上でレンタルや購入することができると共に、レンタルの際ショップに立ち読み防止手段が残らないようにした立ち読み防止装置に関する。
【背景技術】
【０００２】  ショップの棚にマンガなどのブックを陳列すると立ち読みすることができるので、立ち読みにともない購入意欲を喪失させる。【０００３】  そこで、立ち読み防止のため透明な合成樹脂製の袋にブックを封入包装して上述の問題を解消している。【０００４】  しかしながら、ブック毎に包装するので、著しく手数がかかるため種々な問題があり、又包装にともないブックの目次などの綴じ込み紙の一部を読むことができないため購入意欲を喪失させる問題もあった。【０００５】  そこで、陳列時のブックの立ち読みを防止すると共に、片方の表紙側の目次などの綴じ込み紙の一部を捲ることができるようにした立ち読み防止装置がある（特許文献１及び２）。【０００６】
【特許文献１】  特開２０００−１４１９４５号公報
【０００７】
【特許文献２】  特開２００６−３２３４２８号公報
【発明の開示】
【発明が解決しようとする課題】
【０００８】  ところで、特許文献１の立ち読み防止方式は、本の一部のページを除く大半部のページを見開き不能に本用容器の包込部により包み込み、突出口から一部のページを突出させて、この突出した一部のページを確認できるように捲ることが可能になる。【０００９】  そして、カバー面を倒して突出した一部のページを被うようにしてある。【００１０】  すると、ショップでの陳列時にカバー面を開いて突出口から突出した一部のページを捲って目的などを読むことができ、購入意欲を喪失させることがない。【００１１】  しかしながら、本のレンタルに際し本用容器から本を取り出してレンタルし、ショップに空の本容器を回収して保管するので、保管に手数がかかると共に、広い保管場所を必要とする問題があった。【００１２】  特に本用容器の包込部を、外向側と内向側、反背側と、背側と、天面及び地面とから（透明な樹脂シートの）なり、外向側と内向側の側縁中途を粘着テープで接合している。【００１３】  すると、本の背側のコーナを内向側と共に捲くって読まれ、また捲くった部分を強く引張ることで粘着テープがめくれ、或いは破断されて立ち読みされることがある。【００１４】  また、特許文献２の立ち読み防止方式では、筒状の保持部材にブックの綴じ込み紙及び表裏表紙の少なくとも片方を貫通させて、保持部材の側面の外側に存在する目次などを捲ることで、一部を捲ってある程度納得できた上でレンタル或いは購入することができると共に、保持部材に貫通している綴じ込み紙の立ち読みを防止する。【００１５】  しかしながら、レンタルにともないブックの引き抜いた後の保持部材をショップ側に残すので、保持部材の保管に手数がかかると共に、広い保管場所を必要とする問題があった。【００１６】そこで、この発明は、上述の問題を解消したブックの立ち読み防止装置を提供することにある。
【課題を解決するための手段】
【００１７】  上記の課題を解決するために、この発明は、底板と、この底板の一側縁から連なって上方に突出する起立板と、上記底板の他側にヒンジを介し起状自在に設けた起状板と、上記起立板及び起状板の上縁に平行した対向間隔維持のために施錠し、かつショップ側で解錠することができるように設けた錠装置と、この錠装置、上記起立板、起伏板のいずれかにブックの背表紙の表面に対向するように設けたストッパと、上記起立板に上記ストッパの反対方向に突出させて設けた差し込み片とでブックの抱き込み体を形成し、又ブックカバーの両端裏側の保持部にブックの表裏表紙の各自由端部を挿入すると共に、上記ブックカバーの片端部表面や片端部の裏側上記保持部の少なくとも片方に上記差し込み片の貫通用の挿入部を設けた構成を採用する。【００１８】  また、上記の挿入部を有する保持部が、ブックカバーの延長をブックカバーの裏側に折り返す折り返し片によって形成すると共に、この折り返し片の突出端縁の裏面に起立板に止める接着膜を設けた構成や抱き込み体にブックの綴じ込み紙の背表紙の反対側面に対向するストッパ部を設けた構成を採用する。【００１９】  さらに、底板と、この底板の一側縁から連なって上方に突出する起立板と、上記底板の他側にヒンジを介し起状自在に設けた起状板と、上記起立板及び起状板の上縁に平行した対向間隔維持のために施錠し、かつショップ側で解錠することができるように設けた錠装置と、この錠装置、上記起立板、起伏板のいずれかにブックの背表紙の表面に対向するように設けたストッパと、上記起立板に上記ストッパの反対方向に突出させて設けた差し込み片とでブックの抱き込み体を形成し、又ブックカバーの両端裏側の保持部にブックの表裏表紙の各自由端部を挿入すると共に、上記ブックカバーの片端部表面や片端部の裏側上記保持部の少なくとも片方に上記差し込み片の貫通用の挿入部を設けて、上記抱き込み体にブックをセットした状態で上面に挿入口を有する展示ケースに上記挿入口から挿入で展示する。
【発明の効果】
【００２０】  以上のように、この発明のブックの立ち読み防止装置によれば、ブックカバーの挿入部に起立板の差し込み片を挿入してブックの片方の表紙に起立板を支持させて、起立させた起伏板と起立板とでブックを抱き込むと共に、錠装置により施錠して並列維持した起立板に対し起伏板の倒れ方向の回動を止めて、ブックの背表紙にストッパを対向させることで、抱き込み体に対するブックの抜き取りがストッパと表紙の内側起立板とで阻止され、かつ陳列時のブックの捲りが阻止されて、立ち読みを防止し、また起伏板を表紙の内側、すなわち表紙側の綴じ込み紙間に介在させて、起伏板の外側に表紙と表紙の内側目次などの綴じ込み紙の一部を露出させることで、露出した綴じ込み紙を捲って読むことができるため或る程度納得できた上で販売やレンタルすることができると共に、一部の読み取りのため読みたいという意欲により販売やレンタル欲を高めることができる。【００２１】  そして、レンタルの際、ショップ側で錠装置を解錠すると共に、レンタルするブックと共に抱き込み体を貸し出すことで、ショップに抱き込み体が残らないため、ショップでの抱き込み体の管理や広い格納場所が不要になる効果もある。【００２２】  そして、レンタルされたブックは、ヒンジにより起伏板を倒して読む。【００２３】  特に、起伏板の外側に片方の表紙や綴じ込み紙の一部を露出させる方式を採用するので、ブックの起立板と起伏板とで抱き込むことができない余剰の綴じ込み紙を露出させて厚みのあるブックでもセットすることが可能になる。【００２４】  なお、ブックの販売の際、ショップ側に抱き込み体やブックカバーを回収して再使用する。【００２５】  また、挿入部を有する保持部をブックカバーの延長を折り返した折り返し片によって形成すると共に、折り返し片の突出端縁の裏面に接着膜を設けてあるので、起立板に接着膜によって折り返し片を止めて、ブックカバーの片端保持部を抱き込み体に対し安定よく支持させることもできる。【００２６】  さらに、抱き込み体にブックの綴じ込み紙の背表紙の反対側に対抗するストッパ部を設けてあるので、ブックカバーや表紙を破ってブックを抜き取ろうとしても、ストッパ部でブックの抜き取りを防止する。勿論綴じ込み紙間に介在する起立板の縁がブックの綴じ込み代から遠くはなれていても効果がある。【００２７】  また、挿入口から展示ケースにブックのセットずみ抱き込み体を挿入することで、ショップの棚にブックの損傷を防止して陳列することができると共に、展示ケースに封入してあるジャケットシートにより宣伝効果が向上する。
【発明を実施するための最良の形態】
【００２８】  以下、この発明の実施の形態を添付図面に基づいて説明する。【００２９】  この発明の第１の実施形態での図１から図１０に示すＡは、レンタルや販売ブックＳの立ち読みを防止する抱き込み体である。【００３０】  上記のショップで陳列するマンガなどのブックＳの抱き込み体Ａは、底板１と、この底板１の一側縁から上方に突出する起立板２と、底板１の他側縁にピンヒンジや図示のようなハーフカットのヒンジ３を介し起伏自在に設けた起伏板４と、起立板２と起伏板４との両上縁に平行した起立板２と起伏板４との対向間隔を維持するために施錠し、この施錠をショップで解錠することができるように設けた錠装置Ｂと、この錠装置Ｂ、起立板２、起伏板４のいずれかにブックＳの背表紙１０１の表面に対向するように設けたストッパ５と、起立板２にストッパ５の反対方向に突出する差し込み片６とで構成されている。【００３１】  上記ヒンジ３は、底板１の他側縁のみに設ける以外に、図３などに示すように底板１の他側縁に底板１の幅よりも若干大きな間隔を存して平行とするヒンジ３’を設けておくと、起伏板４を上方に反転させて起立板２に平行するように折り返してブックＳを読む際に邪魔にならないようにすることができる。【００３２】  上記の錠装置Ｂとしては、例えば、図３、４、５、６、７、８、１０に示すように、起立板２及び起伏板４の両上縁に互いに内方に突出して上下で重なり合う突出片７と上方に突出し、かつ対向縁が突き合わさる倒立Ｌ字状の屈曲板８とで挿入路９を形成して、この挿入路９に挿入部材１０を挿入すると共に、挿入部材１０の上面の溝１１に両屈曲板８の突き合わせ縁から下方に突出する両突出条１２が溝１１に嵌り込んで係合関係になることで起立板２に対向する起伏板４の起立状態を維持し、挿入部材１０に平面コ字状のスリット１３を入れて設けてある複数の点在的係止爪１４が挿入部材１０の挿入にともない屈曲板８の内面（下面）に当接して復帰力に抗して押し戻され、挿入部材１０の挿入終了にともない片方の屈曲板８に設けてある上下面が貫通する貫孔１５に合致した係止爪１４が自動的に嵌入して係止関係になることで、挿入部材１０の顧客による挿入部材１０の引き抜きを防止する方式や、上記以外に例えば図１３から図１６に示すように、起立板２と起伏板４との上縁に連成してある突出片７を有する両屈曲板８、８の外側にボックス状の嵌合体１６を嵌装すると共に、この嵌合体１６の頂壁下面から下方に突出する銛部１７付の複数の弾片１８が屈曲壁８の貫孔１９に押し込まれて、押し込みにともない貫孔１９の縁に銛部１７が当接することで弾片１８を押し逃がし、銛部１７が貫孔１９を通過し終ると弾片１８の押し逃がしがなくなる。【００３３】  その結果貫孔１９の下縁に銛部１７が係合して、嵌合体１６の顧客による取り外しが阻止されることで、嵌合体１６により両屈曲板８を抱き込んで起伏板４の起立維持をはかるようにしてあるが、上述の方式に限定されず、例えば特許第２９２８４９０号や、実開平６−２８１３４号公報、実用新案登録３０１４４９８号、特許第２７９４４０８号、特開２００２−１２５８１７号公報、特開２００１−８０６６６号公報、特開平１０−２５０７３９号公報、特開平１０−２１１９８１号公報、特開平９−２９０８５６号公報の構成などを採用してもよい。要するに、ショップ側で施錠すると起伏板４を倒すことができない（顧客による）ものであればよい。【００３４】  上述の図示前者の解錠は、図１２に示すように、ショップ側の解錠具１２１を屈曲板８の上面に重ねて各貫孔１５に解錠具１２１の突起１２２を押し込んで係止爪１４を押し戻しながら、貫孔１５から係止爪１４を脱出させて貫孔１５と係止爪１４との係止関係を解除し、この状況下で解錠具１２１のロッド１２３をバネ１２４による復帰力に抗して把持した撮み１２５によりスライドさせる。【００３５】  すると、ロッド１２３の鍔部１２６に挿入部材１０の片１２７が引っかかって挿入部材が引き抜かれ、引き抜いた施錠部品としての挿入部材１０をショップ側に回収して再利用する。【００３６】  後者の解錠は、図１７に示すように、ショップ側の解錠具１３１を嵌合体１６に重ねながら、解錠具１３１の下面から下向きに突出する突軸１３２を嵌合体１６の頂壁の透孔１３４をへて貫孔１９の縁に設けてある透孔１３３に押し込む。【００３７】  すると、図１７に示すように突軸１３２の先端に当接する銛部１７を押し逃がしながら共に弾片１８を押し戻して貫孔１９の縁と銛部１７との係止を解く。【００３８】  この状況下で把持した解錠具１３１と共に嵌合体１６を抱き込み体Ａから上方に離脱する。【００３９】  すると、銛部１７を有する弾片１８が引き抜かれ、解錠具１３１と共に嵌合体１６をショップ側に回収し、回収した嵌合体１６は、再使用する。【００４０】  上記のストッパ５は、図示の場合挿入部材１０の挿入方向の反対側端末から下方に突出させて背表紙１０１の表面に対向させ、又嵌合体１６の周壁から下方に突出させて背表紙１０１の表面に対向するように設けたが限定されず、抱き込み体Ａの起立板２や起伏板４の側縁から連成して背表紙１０１の表面に対向するよう設けてブックＳの引き抜きを阻止してもよい。【００４１】  又ショップで陳列するマンガなどのブックＳには、合成樹脂シート（表紙の文字や絵などを透視する透明な）製のブックカバーＣが装着されている。【００４２】  上記ブックカバーＣの装着方式は、ブックカバーＣの両端裏側の袋状の保持部Ｃ’にブックＳの表紙Ｓ’の自由端部（綴じ代の反対側）が挿入してある。【００４３】  上記の保持部Ｃ’は、ブックカバーＣを形成するシートの両端部を折り返すと共に、重なり合う側縁（図７の上下縁）を熱溶するなどの手段で接着させて袋状にする以外に、図１８、１９に示すように保持部Ｃ’の形成折り返し両端部の両側縁（図１８、１９の上下縁）の延長折り返し片Ｃ”を内側に折り返して、折り返し片Ｃ”で表紙Ｓ’の上下縁を抱き込んで保持してもよい。【００４４】  なお、図示のように両表紙Ｓ’を通す押え帯シートＤを設けたが、押え帯シートＤの有無は限定されない。【００４５】  さらに、ブックカバーＣの片端の表面や片端の保持部Ｃ’には、差し込み片６を差し込む挿入部Ｅが設けてある。【００４６】  上記の挿入部Ｅは、図示の場合スリットを入れて設けたが、限定されず、例えば打ち抜いた長孔などであってもよい。【００４７】  要するに、差し込み片６が挿入できるものであ��ばよい。【００４８】  そして、上記の挿入部Ｅを保持部Ｃ’のみに設けておくと、表紙Ｓ’の内側に起立板２を存在させたときに挿入部Ｅに差し込み片６を差し込み、ブックカバーＣの外側に起立板２を存在させたとき、挿入部Ｅに差し込み片６を差し込む。【００４９】  上記のように構成すると図２に示すようにブックＳの両表紙Ｓ’、Ｓ’の両自由端部をブックカバーＣ両端裏側の支持部Ｃ’、Ｃ’により支持させて、ブックＳにカバーＣを装着しておく。【００５０】  次に、挿入部Ｅに片方の表紙Ｓ’の内側に配置する起立板２の差し込み片６を図５に示すように差し込んでおく。【００５１】  その後に、もう片方の表紙Ｓ’と読ましたい綴じ込み紙１０２（例えば目次などの）の所要枚数を捲って、捲った綴じ込み紙１０２間に起こした起伏板４を介在させたのち、錠装置８に起立板２と起伏板４の両上縁を施錠しておく（図６、７、８に示すように）。【００５２】  すると、ショップでの陳列時のブックＳの立ち読みは、起伏板４の外側の（図６に示す起伏板４に抱き込まれていない）綴じ込み紙１０２のみとなり、抱き込まれていない、即ち露出した綴じ込み紙１０２を読み、この読むことによる或る程度納得できた上でレンタルすることができ、他の綴じ込み紙１０２の立ち読みを防止する。勿論読みたいという意欲のため、レンタルや販売意欲を高める。【００５３】  陳列時の抱き込み体Ａに対するブックＳの抜き取りは、ブックＳの背表紙１０１の表面に対向するストッパ５や、挿入部Ｅとこの挿入部Ｅに差し込んである差し込み片６との引っかかりによりブックＳのスライド（抜き取り方向の）を止めて防止する。【００５４】  レンタルに際しては、解除具１２１、１３１により錠装置Ｂの施錠を解除して（解錠にともなう解錠具１２１、１３１、挿入部材１０、嵌合体１６は、ショップ側に回収する）、ブックＳと共に抱き込み体Ａを貸し出す。【００５５】  すると、ショップ側に抱き込み体Ａが残らないために、抱き込み体Ａの手数がかかる保管や保管場所が不要になる。【００５６】  なお、レンタルにともない貸し出した抱き込み体Ａは、ヒンジ３により起伏板４を倒し、又ヒンジ３、３’に倒した起伏板４を片方の表紙Ｓ’側に起こすことで読む際支障がない。【００５７】  また、抱き込み体Ａの他の使用方法としては、図１０に示すようにブックカバーＣの（保持部Ｃ’でない）表面の挿入部Ｅに起立板２の差し込み片６を差し込み、起こした起伏板４でもう片方の表紙Ｓ’を図４に示すように抱き込むこともできる、又起伏板４を綴じ込み紙１０２間に介在させることもできる。【００５８】  なお、ブックＳの販売に際しては、取り外した抱き込み体Ａをショップに回収しておく。【００５９】  上記抱き込み体Ａや錠装置Ｂの各部は、例えば合成樹脂により成型する。【００６０】  なお、底板１と起立板２との連成境にヒンジ（図示省略）を設けて、底板１と共に起伏板４を起立板２側に反転させるようにしてもよい。【００６１】  又ブックＳは、立ち読みを許容する部分を抱き込み体Ａの外側に露出し起立板２或いは起伏板４の外側にさせる以外に、抱き込み体Ａの起立板２と起伏板４とで両表紙Ｓ’側を抱き込むこともできる。【００６２】  この発明の第２の実施形態で��、図２０、２１に示すように、第１の実施形態の挿入部Ｅを有する保持部Ｃ’が、ブックカバーＣのシートの端縁に連なるシートを折り返した折り返し片２１によって形成すると共に、この折り返し片２１の突出方向縁の裏面には、接着膜２２が設けてある。【００６３】  上記の接着膜２２は、例えば感圧性の接着剤を塗布（付着させて）して設け、貼り付けた剥離紙によって接着面を保護し、剥離紙をはがして接着面を露出させる。【００６４】  すると、起立板２に折り返し片２１を貼り付けて止めるので、装状の保持部が不要になる。【００６５】  勿論、起立板２の差し込み片６は、折り返し片２１に設けてある挿入部Ｅに前もって差し込んだのち、起立板２に折り返し片２１を重ねて、接着膜２２によって起立板２に折り返し片２１を止める。【００６６】  この発明の第３の実施形態では、図３、４、５、１１、１２、２２及び図２３に示すように、第１の実施形態の抱き込み体Ａには、ブックＳの綴じ込み紙１０２の背表紙１０１の反対側の面に対向するストッパ部２６が設けてある。【００６７】  上記のストッパ部２６は、図示の場合抱き込み体Ａの上下に配置したが、限定されず、上下のいずれか片方のみに設けてもよい。【００６８】  そして、ストッパ部２６は、図示の場合、底板１と突出片７の端縁から連成して設けたが、限定されず、例えば起立板２や起伏板４から連成して設けることもある。【００６９】  上記抱き込み体Ａの構成（錠装置Ｂ付）及びカバーＣ付ブックＳの抱き込み体Ａへのセットにともなう立ち読み防止及びレンタル方式は、第１の実施形態と同様につき説明を省略する。【００７０】  上記のように抱き込み体Ａにストッパ部２６を設けておくことで、カバーＣや表紙Ｓ’を破ってストッパ５の反対方向にブックＳを抜き取ろうとしても、ストッパ部２６に綴じ込み紙１０２が当ってブックＳの抜き取りを阻止する効果がある。【００７１】  特にストッパ部２６を設けておくことで、起立板２のストッパ部２６の反対側縁がブックＳの綴じ代から遠く離れた位置（図７や図２３に示す）、すなわち起立板２の両側縁間の幅が材料節約のため細幅にしてもブックＳの抜き取り（カバーＣなど破ったための）を阻止する。【００７２】  この発明の第４の実施形態では、図２４、２５に示すように、上面に挿入口３１を有する既知の展示ケースＫに第１、第２、第３の実施形態のブックＳのセットずみ（錠装置Ｂによる施錠ずみ）の抱き込み体Ａを挿入して、ショップの棚に展示ケースＫを並べて陳列する。【００７３】  そして、展示ケースＫには、ブックＳのジャケットシートＫ’が封入してある。【００７４】  上記のジャケットシートＫ’は、展示ケースＫが透明な合成樹脂製の場合、内側に挿入して、展示ケースＫの上縁折り込み片３２によりジャケットシートＫ’の上縁を抱き込んで抜け出るのを防止し、展示ケースＫが不透明な場合、展示ケースの表面に透明な押えシートを設けて、押えシートの内側にジャケットシートを封入しておく。【００７５】  なお、展示ケースＫの底に上げ底部材３２を設けて、挿入口３１から錠装置Ｂを上方に突出させておくことで、レンタル可能な旨を知らせることができる。【００７６】  また、実施形態のショップ側に回収する例えば���入部材１０や嵌合体１６に周知の盗難防止タグＸを設けておくと、無断な持ち出しをショップの出口の検出装置により検知して盗難防止に効果がある。
【図面の簡単な説明】
【００７７】
【図１】    この発明の第１の実施形態に使用するブックカバーの斜視図
【図２】    ブックにブックカバーをセットした状態の斜視図
【図３】    抱き込み体とブックの斜視図
【図４】    抱き込み体にブックを抱き込んだ斜視図
【図５】    同上の縦断側面図
【図６】    同斜視図
【図７】    挿入部と差し込み片の関係を示す縦断側面図
【図８】    同縦断正面図
【図９】    同横断平面図
【図１０】    ブックカバーに挿入部を設けた実施例の斜視図
【図１１】    起伏板を倒した斜視図
【図１２】    解錠を示す縦断側面図
【図１３】    錠装置の他の例を示す一部切欠斜視図
【図１４】    同上の施錠を示す縦断側面図
【図１５】    同縦断正面図
【図１６】    同横断平面図
【図１７】    同上の解錠を示す縦断側面図
【図１８】    他のブックカバーを示す斜視図
【図１９】    ブックにブックカバーをセットした状態の縦断正面図
【図２０】    第２の実施形態を示す斜視図
【図２１】    同上の縦断側面図
【図２２】    第３の実施形態を示す斜視図
【図２３】    同上の縦断側面図
【図２４】    第４の実施形態を示す縦断側面図
【図２５】    同上の縦断背面図
【符号の説明】
【００７８】Ａ              抱き込み体
Ｂ              錠装置
Ｓ              ブック
Ｓ’            表紙
Ｃ              ブックカバー
Ｃ’            保持部
Ｃ”            折り返し片
Ｅ              挿入部
１０１          背表紙
１０２          綴じ込み紙
１              底板
２              起立板
３              ヒンジ
４              起伏板
５              ストッパ
６              差し込み片
７              突出片
８              屈曲板
９              挿入路
１０            挿入部材
１１            溝
１２            突出条
１３            スリット
１４            係止爪
１５            貫孔
１６            嵌合体
１７            銛部
１８            弾片
１９            貫孔
２１            折り返し片
２２            接着膜
２６            ストッパ部
Ｋ              展示ケース
Ｋ’            ジャケットシート
【図１】
2009179398.tif 000003
【図２】
2009179398.tif 000004
【図３】
2009179398.tif 000005
【図４】
2009179398.tif 000006
【図５】
2009179398.tif 000007
【図６】
2009179398.tif 000008
【図７】
2009179398.tif 000009
【図８】
2009179398.tif 000010
【図９】
2009179398.tif 000011
【図１０】
2009179398.tif 000012
【図１１】
2009179398.tif 000013
【図１２】
2009179398.tif 000014
【図１３】
2009179398.tif 000015
【図１４】
2009179398.tif 000016
【図１５】
2009179398.tif 000017
【図１６】
2009179398.tif 000018
【図１７】
2009179398.tif 000019
【図１８】
2009179398.tif 000020
【図１９】
2009179398.tif 000021
【図２０】
2009179398.tif 000022
【図２１】
2009179398.tif 000023
【図２２】
2009179398.tif 000024
【図２３】
2009179398.tif 000025
【図２４】
2009179398.tif 000026
【図２５】
2009179398.tif 000027